(57)【要約】【課題】束ねた毛糸の端部を切断して作るポンポン作成において、毛糸束の束ね作業を容易にする。束ねられた毛糸が外れにくくする。【解決手段】束ね材に塑性変形可能な針金を用いる。束ねられた糸の各ループ切断の前または後に針金を捩って束の絞まりを強くする。【選択図】図１
2004225231.tif 000002
【特許請求の範囲】
【請求項１】
中央部に空間を有する治具に毛糸を巻き付けた後に、その束の中央部を束ね材で束ね、その後、巻き付けた毛糸の各ループ部を切断して作る、球状ポンポン作成、および、上述の毛糸巻き付けと束ねを複数回行った後に、ループ部を切断して作る、棒状あるいは異形状ポンポン作成において、その束ね材に、塑性変形可能な針金を用いる、ポンポン作成法。
【請求項２】
特許請求項１において、束ねられた糸の各ループ切断の前または後に、束ね材の針金を捩って成形するポンポン作成法。
【発明の詳細な説明】
【０００１】
【発明の属する技術分野】
本発明は、毛糸を用いたポンポンを作成する方法に関するものである
【０００２】
【従来の技術】
図２〜図５に、従来方式による球状ポンポン作成の一例を示す。
【０００３】
図２は、毛糸巻き付け棒固定片１に設置された２本の毛糸巻き付け棒２に、毛糸３を複数回巻き付た状態である。
【０００４】
図３は上記の巻き付けられた毛糸束の中央部を、束ね用糸４で束ねた状態を示す。図中の５は、束ね用糸の結び目である。
【０００５】
図４は図３で束ねられた毛糸のループ部をはさみ６で切断する過程を示す。ループを全て切断すると、束ねられていた毛糸の各端部が広がる為に、毛糸束は球状になり、余分にはみ出した箇所を切断して整形することにより、図５に示す球状ポンポンができあがる。
【０００６】
図６〜８は従来方式による棒状ポンポン作成の例を示す。図６は、毛糸巻き付け棒２に毛糸３を複数回巻き付けては束ね用糸４で束ねる動作を、４回繰り返した状態である。
【０００７】
図６の各毛糸のループ部を図７のようにはさみ６で切断していくと、図８のような棒状ポンポンが得られる。
【０００８】
【発明が解決しようとする課題】
以上のように、巻き付けた毛糸の束を束ね材で束ね、ループ部を切断すると、各種形状のポンポンが得られるが、従来、この束ね材には糸や毛糸が使はれていたため、作業がしにくいという欠点があった。
【０００９】
すなはち、複数回巻かれて広がりを持った毛糸束を、糸や毛糸で、広がりに抗してきつく束ねる（結ぶ）のは非常に難しく、さらには、束ねる力が弱いと、ループ部を切断された毛糸は束から外れ、ポンポンが崩れてしまう恐れもあった。
【００１０】
【課題を解決するための手段】
本発明では、かかる欠点を排除するために、束ね材に塑性変形可能な針金を用いた。また、その針金を、毛糸ループ切断前又は後に捩って、毛糸束を強く束ねる方法を採用して。。
【００１１】
塑性変形可能な軟質の針金は、それを曲げて、毛糸を押さえると、結ばなくても、ほぼその状態に毛糸を保つことができる。また、後に、針金を捩ることにより、束をきつく絞めることができるので、束ね作業が容易で、かつ毛糸が抜けてしまうという心配もない。
【００１２】
【発明実施の形態】
以下に、本発明の実施形態を実施例に基づき、図を用いて説明する。
【００１３】
図９は毛糸巻き付け棒固定片１に設置された２本の毛糸巻き付け棒２に、複数回巻き付けられた毛糸３を、束ね用針金７（代表例として、ここでは、カラーコートされた直系０．８ｍｍのなまし鉄線を用いる）を曲げて束ねた状態を示す。
【００１４】
鉄線は容易に手で変形できる反面、さらに弱い外力に対しては変形しにくいので、手で曲げて毛糸の束を押さえると、束はほぼその状態を保つことができる。
【００１５】
図９で、手前の針金を上側奥に、裏側の針金を下側手前に曲げたのは、後の捩り工程で、針金が緩むのを防ぐためである。
【００１６】
この状態で、図９の毛糸巻き付け棒２を外し、棒に接していたループ部を切断した後、交差した針金を右ネジを絞める方向に捩ると、毛糸束は強く絞められ、安定した球状のポンポンが得られる。
【００１７】
図１は図９の毛糸巻き付けと針金による束ねの動作を２回行った状態を示す。ここで特徴的なのは、束ね材が塑性変形可能な針金なので、各束を束ねている針金の交差点８では、針金は糸のように結ばれておらず、ただ単に交差しているということである。
【００１８】
したがって、作業が容易で、簡単に繰り返し行える。毛糸巻き付けと針金による束ね動作の後に、毛糸巻き付け棒２を外してからループを切断し、針金を捩ると、やや細長のポンポンが得られる。
【００１９】
図１では、毛糸巻き付けと束ねを２回繰り返した例を示したが、繰り返し数を、１０回、２０回と増やしていくと、次第に長い棒状のポンポンが得られる。この針金を用いる束ね法は、毛糸巻き付け棒の間隔を変化させて作る、円錐その他の異形状ポンポン作成時にも適用できる。
【００２０】
なお、この棒状ポンポンは針金で束ねられているので、「く」の字や「Ｓ」字、あるいは「ト音記号」のような曲がった形状も保てるという利点もある。
【００２１】
また本実施例では、針金の捩りを毛糸のループ切断後に行ったが、ループ切断の前に行っても差し支えない。
【００２２】
【発明の効果】
本発明では、ポンポン作成時に、束ね材として、塑性変形可能な針金を用いたので、つぎに挙げるような効果が得られる。
【００２３】
束ね時に結び作業を伴はないので、作業が容易である。
【００２４】
ループ切断前または後に、針金を捩って、束ね力を高めることができるで、糸が抜けてポンポンが崩れる心配がない。
【００２５】
作成された、ポンポンを変形させて、「く」の字や「Ｓ」字、あるいは「ト音記号」のような曲がった形状を保つこともできる。
【図面の簡単な説明】
【図１】本発明によるポンポン作成法の一例で、複数回巻き付けられた毛糸を塑性変形可能な針金で、結ばずに束ねる動作を、２回繰り返した状態を示す。
【図２】ポンポン作成の過程で、治具に毛糸を複数回巻き付けた状態を示す。
【図３】従来のポンポン作成法の一例で、巻き付けられた毛糸の束を、糸で結んで束ねた状態を示す。
【図４】図３の毛糸束のループ部をはさみで切断していく状態を示す。
【図５】従来法で束ねられた毛糸のループ部を全て切断した後、余分にはみ出した箇所を切断整形してできた、球状ポンポンを示す。
【図６】従来法による棒状ポンポン作成例の一過程で、毛糸巻き付けと、糸による束ねを４回繰り返した状態を示す。
【図７】図６の巻き付けられた毛糸束を、はさみで切断していく状態を示す。
【図８】図７のループ切断を終えて得られた、棒状ポンポンを示す。
【図９】本発明による球状ポンポン作成の過程で、巻き付けられた毛糸束を塑性変形可能な針金で束ねた状態を示す。
【符号の説明】
１．毛糸巻き付け棒固定片
２．毛糸巻き付け棒
３．毛糸
４．束ね用糸
５．糸の結び目
６．はさみ
７．束ね用針金
８．針金の交差点
【図１】
2004225231.tif 000003
【図２】
2004225231.tif 000004
【図３】
2004225231.tif 000005
【図４】
2004225231.tif 000006
【図５】
2004225231.tif 000007
【図６】
2004225231.tif 000008
【図７】
2004225231.tif 000009
【図８】
2004225231.tif 000010
【図９】
2004225231.tif 000011